(57)【要約】【課題】  スイッチ構成や中継回線等が変化しても、最適なネットワークを自動構成することが可能なネットワーク構成機器を提供する。【解決手段】  ネットワーク構成機器（１）は、情報通信ネットワークを構築する際にマンマシンインタフェースを通して外部から情報通信ネットワークの構成要件を取得する構成要件取得手段（ネットワーク構成要件取得部１１）と、構成要件の取得にあわせて当該構成要件以外の他の構成条件を少なくともネットワーク構成機器相互間の位置関係から自動取得する構成条件取得手段（ネットワーク構成条件取得部１２）と、構成要件及び構成条件の取得後にこれら取得した条件群を基に情報通信ネットワークを自律的に構成する自動構成手段（ネットワーク自動構成部１３）とを有する。【選択図】      図１
2010263261.tif 000002
【特許請求の範囲】
【請求項１】
情報通信ネットワークを構築する際にマンマシンインタフェースを通して外部から前記情報通信ネットワークの構成要件を取得する構成要件取得手段と、
前記構成要件の取得にあわせて当該構成要件以外の他の構成条件を少なくともネットワーク構成機器相互間の位置関係から自動取得する構成条件取得手段と、
前記構成要件及び前記構成条件の取得後にこれら取得した条件群を基に前記情報通信ネットワークを自律的に構成する自動構成手段とを有することを特徴とするネットワーク構成機器。
【請求項２】
前記マンマシンインタフェースは、前記情報通信ネットワークの構成要件を指定可能としたことを特徴とする請求項１記載のネットワーク構成機器。
【請求項３】
前記構成条件取得手段は、前記情報通信ネットワークの構成機器全ての相対位置、接続されている端末及びサーバの接続条件を少なくとも自動認識して取得することを特徴とする請求項１または請求項２記載のネットワーク構成機器。
【請求項４】
必要なサーバ機能を自機器内部で自動的に生成するサーバ機能自動生成手段を含むことを特徴とする請求項１から請求項３のいずれか記載のネットワーク構成機器。
【請求項５】
レイヤ２スイッチあるいはレイヤ３スイッチ、あるいは双方の機能を持つマルチレイヤスイッチであることを特徴とする請求項１から請求項４のいずれか記載のネットワーク構成機器。
【請求項６】
前記マルチレイヤスイッチを、前記情報通信ネットワークを構成する既存通信機器各々に内蔵可能としたことを特徴とする請求項５記載のネットワーク構成機器。
【請求項７】
前記マルチレイヤスイッチを、前記情報通信ネットワークを構成する既存通信機器各々に外付け可能としたことを特徴とする請求項５記載のネットワーク構成機器。
【請求項８】
前記マルチレイヤスイッチを、前記情報通信ネットワークを構成する既存通信機器群のうちの１台以上の代表機器に内蔵可能としたことを特徴とする請求項５記載のネットワーク構成機器。
【請求項９】
前記マルチレイヤスイッチを、前記情報通信ネットワークを構成する既存通信機器群のうちの１台以上の代表機器に外付け可能としたことを特徴とする請求項５記載のネットワーク構成機器。
【請求項１０】
前記情報通信ネットワークの構成状況及び運用状況を簡易に参照及び操作可能な自機器内蔵のマンマシンインタフェース機能を含むことを特徴とする請求項１から請求項９のいずれか記載のネットワーク構成機器。
【請求項１１】
前記情報通信ネットワークの構成状況及び運用状況を、自機器に外付けされる機器で簡易に参照及び操作可能とする外部インタフェース機能を含むことを特徴とする請求項１から請求項９のいずれか記載のネットワーク構成機器。
【請求項１２】
請求項１から請求項１１のいずれかに記載のネットワーク構成機器を含むことを特徴とする情報通信ネットワーク。
【請求項１３】
ネットワーク構成機器に、
情報通信ネットワークを構築する際にマンマシンインタフェースを通して外部から前記情報通信ネットワークの構成要件を取得する構成要件取得ステップと、
前記構成要件の取得にあわせて当該構成要件以外の他の構成条件を少なくともネットワーク構成機器相互間の位置関係から自動取得する構成条件取得ステップと、
前記構成要件及び前記構成条件の取得後にこれら取得した条件群を基に前記情報通信ネットワークを自律的に構成する自動構成ステップとを有することを特徴とするネットワーク自動構築方法。
【請求項１４】
前記マンマシンインタフェースが、前記情報通信ネットワークの構成要件を指定可能としたことを特徴とする請求項１３記載のネットワーク自動構築方法。
【請求項１５】
前記ネットワーク構成機器が、前記構成条件取得ステップにおいて、前記情報通信ネットワークの構成機器全ての相対位置、接続されている端末及びサーバの接続条件を少なくとも自動認識して取得することを特徴とする請求項１３または請求項１４記載のネットワーク自動構築方法。
【請求項１６】
前記ネットワーク構成機器に、必要なサーバ機能を自機器内部で自動的に生成するサーバ機能自動生成ステップを含むことを特徴とする請求項１３から請求項１５のいずれか記載のネットワーク自動構築方法。
【請求項１７】
前記ネットワーク構成機器が、レイヤ２スイッチあるいはレイヤ３スイッチ、あるいは双方の機能を持つマルチレイヤスイッチであることを特徴とする請求項１３から請求項１６のいずれか記載のネットワーク自動構築方法。
【請求項１８】
前記マルチレイヤスイッチを、前記情報通信ネットワークを構成する既存通信機器各々に内蔵可能としたことを特徴とする請求項１７記載のネットワーク自動構築方法。
【請求項１９】
前記マルチレイヤスイッチを、前記情報通信ネットワークを構成する既存通信機器各々に外付け可能としたことを特徴とする請求項１７記載のネットワーク自動構築方法。
【請求項２０】
前記マルチレイヤスイッチを、前記情報通信ネットワークを構成する既存通信機器群のうちの１台以上の代表機器に内蔵可能としたことを特徴とする請求項１７記載のネットワーク自動構築方法。
【請求項２１】
前記マルチレイヤスイッチを、前記情報通信ネットワークを構成する既存通信機器群のうちの１台以上の代表機器に外付け可能としたことを特徴とする請求項１７記載のネットワーク自動構築方法。
【請求項２２】
前記ネットワーク構成機器に、前記情報通信ネットワークの構成状況及び運用状況を簡易に参照及び操作可能な自機器内蔵のマンマシンインタフェース機能を含むことを特徴とする請求項１３から請求項２１のいずれか記載のネットワーク自動構築方法。
【請求項２３】
前記ネットワーク構成機器に、前記情報通信ネットワークの構成状況及び運用状況を、自機器に外付けされる機器で簡易に参照及び操作可能とする外部インタフェース機能を含むことを特徴とする請求項１３から請求項２１のいずれか記載のネットワーク自動構築方法。
【発明の詳細な説明】
【技術分野】
【０００１】
本発明はネットワーク構成機器、情報通信ネットワーク及びそれらに用いるネットワーク自動構築方法に関し、特にネットワークの設計や構築の方法に関する。
【背景技術】
【０００２】
本発明に関連するネットワークの設計や構築の作業は、ネットワーク技術にある程度習熟した技術者が、ユーザの各種要件を聞取り、机上での設計とユーザへの確認との繰り返し、ベンダ毎に異なる動作条件設定と実環境での期間をかけた動作試験等、かなりの時間と手間とを要する。
【０００３】
また、障害発生の場合も、同じくネットワーク技術にある程度習熟した技術者が、障害情報収集と解析、対応方法検討、現地作業等、復旧までに時間を要する場合も多い。
【０００４】
ところが、ネットワーク構築技術に関しては、その多くがオープン化されており、どのようなベンダの機器を使用しても、基本的に設計思想はベンダ非依存化できるし、結果的にネットワーク構築条件項目も、基本的にどのユーザも似通ったものとなる。
【０００５】
例えば、Ｌ２（Ｌａｙｅｒ  ２）／Ｌ３（Ｌａｙｅｒ  ３）スイッチ群にて構成されるネットワークを構築する場合は、通常、専門性を要するネットワーク技術をマスタした技術者が、ネットワークトポロジ設計、関連サーバ群［ＲＡＤＩＵＳ（Ｒｅｍｏｔｅ  Ａｕｔｈｅｎｔｉｃａｔｉｏｎ  Ｄｉａｌ−Ｉｎ  Ｕｓｅｒ  Ｓｅｒｖｉｃｅ）、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）、ＤＮＳ（Ｄｏｍａｉｎ  Ｎａｍｅ  Ｓｙｓｔｅｍ）サーバ等］配置設計、ＶＬＡＮ（Ｖｉｒｔｕａｌ  Ｌｏｃａｌ  Ａｒｅａ  Ｎｅｔｗｏｒｋ）設計、ＱｏＳ（Ｑｕａｌｉｔｙ  ｏｆ  Ｓｅｒｖｉｃｅ）設計等、複雑で多岐にわたる項目について検討する。その後に、上記の技術者は、機器固有かつ煩雑な機器個別の動作条件情報（コンフィグ）を設計作成し、実機にて動作確認を行う、というかなり手間のかかる一連の作業を行う。
【０００６】
尚、下記の特許文献１には、隣接するノードの自動認識を行い、隣接するノードとの間においてネットワークの自動構築を行う方法が開示されている。この特許文献１に記載の管理制御装置は、ＩＴ（Ｉｎｆｏｒｍａｔｉｏｎ  Ｔｅｃｈｎｏｌｏｇｙ）機器接続／切断自動認識機能、ＩＴ機器インタフェース自動認識機能、ＩＴ機器間通信監視機能を具備し、光送受信器の通信機能を巡回的に選択設定することによりＩＴ機器に関する情報を取得してＩＴ機器を自動認識し、ネットワークを自動構築している。
【先行技術文献】
【特許文献】
【０００７】
【特許文献１】特開２００５−３１８５１６号公報
【発明の概要】
【発明が解決しようとする課題】
【０００８】
上記のように、Ｌ２／Ｌ３スイッチに限らず、専門性を要するネットワーク技術をマスタした技術者でなければ、ネットワークの構築や運営、保守ができない状況となっている。
【０００９】
このような状況は、業種業態や規模にかかわらず、いろいろなネットワーク機器にて構成されるネットワークの導入が一般化している昨今、このようなネットワーク導入にかかる時間と手間とが、スムーズな導入を阻害するばかりでなく、ユーザに対し、特定ネットワーク機器ベンダへの依存度を高めること（ベンダのいいなり）になりやすかったり、機器選択の自由度が制限されたり、障害発生時等においてベンダの対応が終了するまでネットワークが使えなくなる、等の弊害が生じている。
【００１０】
尚、上記の特許文献１に記載の方法では、隣接するノードの自動認識を行い、隣接するノードとの間においてネットワークの自動構築を行っているだけなので、ネットワーク全体の自動認識や自動構築を行うことができない。
【００１１】
そこで、本発明の目的は上記の問題点を解消し、スイッチ構成や中継回線等が変化しても、最適なネットワークを自動構成することができるネットワーク構成機器、情報通信ネットワーク及びそれらに用いるネットワーク自動構築方法を提供することにある。
【課題を解決するための手段】
【００１２】
本発明によるネットワーク構成機器は、情報通信ネットワークを構築する際にマンマシンインタフェースを通して外部から前記情報通信ネットワークの構成要件を取得する構成要件取得手段と、
前記構成要件の取得にあわせて当該構成要件以外の他の構成条件を少なくともネットワーク構成機器相互間の位置関係から自動取得する構成条件取得手段と、
前記構成要件及び前記構成条件の取得後にこれら取得した条件群を基に前記情報通信ネットワークを自律的に構成する自動構成手段とを備えている。
【００１３】
本発明による情報通信ネットワークは、上記に記載のネットワーク構成機器を含むことを特徴とする。
【００１４】
本発明によるネットワーク自動構築方法は、
ネットワーク構成機器に、
情報通信ネットワークを構築する際にマンマシンインタフェースを通して外部から前記情報通信ネットワークの構成要件を取得する構成要件取得ステップと、
前記構成要件の取得にあわせて当該構成要件以外の他の構成条件を少なくともネットワーク構成機器相互間の位置関係から自動取得する構成条件取得ステップと、
前記構成要件及び前記構成条件の取得後にこれら取得した条件群を基に前記情報通信ネットワークを自律的に構成する自動構成ステップとを備えている。
【発明の効果】
【００１５】
本発明は、上記のような構成及び動作とすることで、スイッチ構成や中継回線等が変化しても、最適なネットワークを自動構成することができるという効果が得られる。
【図面の簡単な説明】
【００１６】
【図１】本発明によるネットワーク構成機器の構成例を示すブロック図である。
【図２】本発明の実施の形態によるネットワーク構成機器の構成例を示すブロック図である。
【図３】本発明の実施の形態による情報通信ネットワークの構成例を示すブロック図である。
【図４】図２に示す収容端末属性自動決定論理部の処理動作を示すフローチャートである。
【図５】図２に示すネットワーク自動構成論理部の処理動作を示すフローチャートである。
【図６】図２に示すサーバ群自動生成論理部の処理動作を示すフローチャートである。
【図７】（ａ），（ｂ）は本発明の実施の形態における入力データ及び生成データを示す図である。
【発明を実施するための形態】
【００１７】
次に、本発明の実施の形態について図面を参照して説明する。図１は本発明によるネットワーク構成機器の構成例を示すブロック図である。図１においては、本発明によるネットワーク構成機器１は、ネットワーク構成要件取得部１１と、ネットワーク構成条件取得部１２と、ネットワーク自動構成部１３とを備えている。
【００１８】
ネットワーク構成要件取得部１１は、本発明の情報通信ネットワークを構成する機器群において、情報通信ネットワークを構築する際にマンマシンインタフェースを通して、ネットワーク技術について必ずしも詳しくないユーザから、直感的にわかりやすい形で情報通信ネットワーク構成要件を取得する。
【００１９】
ネットワーク構成条件取得部１２は、上記の情報通信ネットワーク構成要件の取得にあわせて、その他の情報通信ネットワーク構成条件を本発明の対象であるネットワーク構成機器相互間の位置関係等から自動取得する。
【００２０】
ネットワーク自動構成部１３は、情報通信ネットワーク構成要件や情報通信ネットワーク構成条件の取得後、おのおの取得した条件群を基に情報通信ネットワークを自律的に構成する。
【００２１】
したがって、本発明では、ネットワークの設計や構築にあたり、ネットワーク技術者がユーザへ聞き取る条件自体を、マンマシンインタフェースを通して、ユーザが直感的にわかり易く表現できる形でネットワーク機器に指定することができる。また、本発明では、ネットワーク技術者が机上で設計する手順を、上記と同じくネットワーク機器内で実現しているので、手間と時間とを要するネットワークの設計や構築が全て不要となるばかりでなく、人が介在することにより起こるミス（ヒューマンエラー）をも解消することができる。
【００２２】
本発明では、運用の場面においても、ネットワーク自動構成部１３により、機器や回線の一部障害発生による全ネットワークダウン等も回避される可能性が高くなり、ネットワーク可用性の向上にも貢献することができる。
【００２３】
上述したように、本発明では、情報通信ネットワークを構成する各ネットワーク構成機器に、情報通信ネットワーク技術に必ずしも詳しくないユーザであっても、直感的にわかりやすい形で情報通信ネットワーク構成要件を指定するマンマシンインタフェースと、全ネットワーク構成機器の相対位置や、接続されている端末やサーバの接続条件等を自動認識する機能を持たせている。
【００２４】
さらに、本発明では、それら全体情報を基に適切なネットワーク構成を自律的に構築し、必要なサーバ機能までネットワーク機器内部で自動的に生成する機能を持たせることにより、専門的なネットワーク技術を持つ技術者不在でのネットワーク構築が可能となるばかりでなく、ネットワーク構築や運用にかかる時間と手間との大幅な削減が可能となる。
【００２５】
図２は本発明の実施の形態によるネットワーク構成機器の構成例を示すブロック図である。図２において、ネットワーク構成機器２は、レイヤ２スイッチ及びレイヤ３スイッチ双方の機能を持つマルチレイヤスイッチである。以下、ネットワーク構成機器２をスイッチ２として表記する。
【００２６】
スイッチ２は、前面パネル（フロントパネル）２１と、内部論理２２とを備えている。前面パネル２１は、ポート＃１収容端末所属ＶＬＡＮ（Ｖｉｒｔｕａｌ  Ｌｏｃａｌ  Ａｒｅａ  Ｎｅｔｗｏｒｋ）指定機能（以下、収容端末所属ＶＬＡＮ指定機能とする）２１１と、ポート＃２収容端末所属ＶＬＡＮ指定機能（以下、収容端末所属ＶＬＡＮ指定機能とする）２１２とを備えている。内部論理２２は、収容端末属性自動決定論理部２２１と、ネットワーク自動構成論理部２２２と、サーバ群自動生成論理部２２３とを備えている。
【００２７】
尚、前面パネル２１の収容端末所属ＶＬＡＮ指定機能２１１，２１２と、内部論理２２の収容端末属性自動決定論理部２２１とは、上記のネットワーク構成要件取得部１１に相当し、内部論理２２のネットワーク自動構成論理部２２２は、上記のネットワーク構成条件取得部１２及びネットワーク自動構成部１３に相当する。
【００２８】
収容端末所属ＶＬＡＮ指定機能２１１，２１２は、それぞれが属するＶＬＡＮのＩＤ（ＩＤｅｎｔｉｆｉｅｒ）を、ユーザが理解しやすいように、“総務部”や“経理部”等の名称に対応させた形で設定することを可能とするマンマシンインタフェースである。
【００２９】
収容端末属性自動決定論理部２２１は、各スイッチが直接収容する端末群やサーバ群の属するＶＬＡＮを前面パネル２１上の設定で認識し、各ＶＬＡＮに該当ポートをアサインする機能ブロックである。
【００３０】
ネットワーク自動構成論理部２２２は、各スイッチ間を接続する回線の概要“回線速度等”と、接続先スイッチ群の相対的位置関係とを自動認識し、ネットワークを自動構築する機能ブロックである。
【００３１】
サーバ群自動生成論理部２２３は、自動構築されたネットワーク上の自スイッチの相対的位置により、必要に応じて、ＲＡＤＩＵＳ（Ｒｅｍｏｔｅ  Ａｕｔｈｅｎｔｉｃａｔｉｏｎ  Ｄｉａｌ−Ｉｎ  Ｕｓｅｒ  Ｓｅｒｖｉｃｅ）やＤＨＣＰ（Ｄｙｎａｍｉｃ  Ｈｏｓｔ  Ｃｏｎｆｉｇｕｒａｔｉｏｎ  Ｐｒｏｔｏｃｏｌ）等のサーバ機能を提供する機能ブロックである。
【００３２】
図３は本発明の実施の形態による情報通信ネットワークの構成例を示すブロック図である。図３において、本発明の実施の形態による情報通信ネットワークは、スイッチ（＃１〜＃３）２−１〜２−３と、サーバ３−１，３−２と、端末４−１〜４−４とから構成されている。
【００３３】
スイッチ（＃１〜＃３）２−１〜２−３各々は、上記の図２に示す構成となっており、ポート＃１，＃２を備え、スイッチ間結線で接続されている。このスイッチ間結線は、スイッチ間接続回線を示している。
【００３４】
サーバ３−１，３−２は、各スイッチ（＃１〜＃３）２−１〜２−３に直接収容されるサーバであり、端末４−１〜４−４は、各スイッチ（＃１〜＃３）２−１〜２−３に直接収容される端末である。サーバ３−１，３−２及び端末４−１〜４−４は、各スイッチ（＃１〜＃３）２−１〜２−３に接続されており、市販のパーソナルコンピュータやワークステーションを利用することができる。
【００３５】
本実施の形態では、各スイッチ（＃１〜＃３）２−１〜２−３を、レイヤ２スイッチ及びレイヤ３スイッチ双方の機能を持つマルチレイヤスイッチとしている。ユーザは、これらスイッチ（＃１〜＃３）２−１〜２−３間を適当に中継回線で接続する。その後、ユーザは、各スイッチ（＃１〜＃３）２−１〜２−３に収容する端末４−１〜４−４やサーバ３−１，３−２の所属する部門名（ＶＬＡＮに対応）を、各スイッチ（＃１〜＃３）２−１〜２−３の前面パネル２１から設定する。
【００３６】
レイヤ２スイッチ及びレイヤ３スイッチは、中継回線を通して、ネットワーク全体の構造と自スイッチの相対位置とを認識し、ネットワークを自動構築［各スイッチＩＰ（Ｉｎｔｅｒｎｅｔ  Ｐｒｏｔｏｃｏｌ）アドレスアサイン、ＶＬＡＮアドレス体系構築、デフォルトゲートウェイアサイン、ＤＨＣＰやＲＡＤＩＵＳ等のサーバ群の各スイッチ自動アサイン等］を行うとともに、あわせて、各スイッチ（＃１〜＃３）２−１〜２−３の端末／サーバ収容ポートのＶＬＡＮアサインを行う。
【００３７】
図４は図２に示す収容端末属性自動決定論理部２２１の処理動作を示すフローチャートであり、図５は図２に示すネットワーク自動構成論理部２２２の処理動作を示すフローチャートであり、図６は図２に示すサーバ群自動生成論理部２２３の処理動作を示すフローチャートである。以下、図２〜図６を参照して本発明の実施の形態による情報通信ネットワークにおける自動構成について説明する。
【００３８】
まず、ユーザは、図３に示すように、スイッチ（＃１〜＃３）２−１〜２−３間をスイッチ間結線する。また、ユーザは、図３に示すように、各スイッチ（＃１〜＃３）２−１〜２−３の前面パネル２１の収容端末所属ＶＬＡＮ指定機能２１１，２１２から、各スイッチ（＃１〜＃３）２−１〜２−３に接続される端末４−１〜４−４及びサーバ３−１，３−２の所属するグループを指定する。
【００３９】
この場合、収容端末所属ＶＬＡＮ指定機能２１１，２１２は、それぞれが属するＶＬＡＮのＩＤをマンマシンインタフェースから指定する機能を有する。各スイッチ（＃１〜＃３）２−１〜２−３の前面パネル２１の収容端末所属ＶＬＡＮ指定機能２１１，２１２のマンマシンインタフェースから端末４−１〜４−４及びサーバ３−１，３−２に表示される入力画面にしたがい、各スイッチ（＃１〜＃３）２−１〜２−３に接続される端末４−１〜４−４及びサーバ３−１，３−２の所属するグループをユーザが指定する。
【００４０】
この指定は、例えば、“総務部”→“ＶＬＡＮ  ＩＤ  １００”等の対応表を予め作成しておき、画面に表示される対応表の該当項目をマウス等によって選択する、あるいは対応表を基に、“総務部端末収容ポート”について“１００”を図示せぬキーボードやタッチパネル等から入力することによって指定することができる。
【００４１】
各スイッチ（＃１〜＃３）２−１〜２−３の収容端末属性自動決定論理部２２１は、各スイッチ（＃１〜＃３）２−１〜２−３が直接収容する端末群やサーバ群の属するＶＬＡＮを前面パネル２１上の設定で認識し、各ＶＬＡＮに該当ポートをアサインする機能を有する。収容端末属性自動決定論理部２２１は、収容端末の属性にしたがって、端末収容ポートの属性を、例えば、図４に示すような論理で自動設定する。
【００４２】
すなわち、収容端末属性自動決定論理部２２１は、一定周期で処理を開始し、収容端末の属性が端末／サーバ収容回線であれば（図４ステップＳ２）、ポートへ収容端末ＶＬＡＮ設定を行う（図４ステップＳ３）。収容端末属性自動決定論理部２２１は、このような端末収容ポートの属性の自動設定を収容ポート分だけループして実行する（図４ステップＳ１〜Ｓ３）。
【００４３】
各スイッチ（＃１〜＃３）２−１〜２−３のネットワーク自動構成論理部２２２は、各スイッチ（＃１〜＃３）２−１〜２−３間を接続する回線の属性、“回線速度等”と、接続先スイッチ群の相対位置関係とを自動認識し、自分自身がレイヤ３スイッチング機能とレイヤ２スイッチング機能とのどちらを、あるいは両方を行うか等、自分自身の行う機能の決定等を通じ、ネットワークを自動構築する機能を有する。
【００４４】
ネットワーク自動構成論理部２２２は、スイッチ間結線を通じて他のスイッチと情報交換を行い、例えば、図５に示すような論理でネットワークを自動構築する。
【００４５】
すなわち、ネットワーク自動構成論理部２２２は、一定周期で処理を開始し、ネットワーク構成スイッチ群と自スイッチの相対位置を認識する（図５ステップＳ１１）。
【００４６】
この場合、ネットワーク自動構成論理部２２２は、中継回線の認識を行い（図５ステップＳ１１１）、中継回線をトランクポートに設定し（図５ステップＳ１１２）、同一方路回線についてリンクアグリゲーション設定を行う（図５ステップＳ１１３）。ここで、リンクアグリゲーション設定とは、サーバとＬＡＮスイッチとの間、または２台のＬＡＮスイッチ間を接続する複数の物理リンクを１本に束ねる設定である。
【００４７】
ネットワーク自動構成論理部２２２は、ネットワーク構成の全スイッチ群を認識し（図５ステップＳ１１４）、ネットワーク内のスイッチ群全体構成と自スイッチの相対位置とを認識する（図５ステップＳ１１５）。
【００４８】
続いて、ネットワーク自動構成論理部２２２は、他のスイッチと協調して以下の内容を決定する（図５ステップＳ１２）。この場合、ネットワーク自動構成論理部２２２は、スイッチ相対位置情報より、各スイッチのＩＤとスイッチ間情報交換用ＶＬＡＮ内でのＩＰアドレスとを決定し（図５ステップＳ１２１）、Ｌ２（レイヤ２）／Ｌ２＋Ｌ３（レイヤ２＋レイヤ３）スイッチの機能分担を決定する（図５ステップＳ１２２）。
【００４９】
さらに、ネットワーク自動構成論理部２２２は、レイヤ３プロトコル条件を他のスイッチと協調して決定する（図５ステップＳ１３）。この場合、ネットワーク自動構成論理部２２２は、各スイッチ収容ＶＬＡＮより各ＶＬＡＮ対応アドレス帯域を決定し（図５ステップＳ１３１）、Ｌ３スイッチ間使用ＶＬＡＮとそこでのデフォルトゲートウェイＩＰアドレスとを決定し（図５ステップＳ１３２）、Ｌ３スイッチで、端末収容ＶＬＡＮ毎のデフォルトゲートウェイＩＰアドレスを決定する（図５ステップＳ１３３）。
【００５０】
各スイッチ（＃１〜＃３）２−１〜２−３のサーバ群自動生成論理部２２３は、自動構築されたネットワーク上の自スイッチの相対的位置により、必要に応じて、ＲＡＤＩＵＳやＤＨＣＰ等のサーバ機能を提供する機能を有する。サーバ群自動生成論理部２２３は、自スイッチ動作条件にあわせ、例えば、図６に示すような論理でサーバ機能を自動生成する。
【００５１】
つまり、サーバ群自動生成論理部２２３は、一定周期で処理を開始し、端末収容のデフォルトゲートウェイスイッチにて、サーバ機能を自動生成する（図６ステップＳ２１）。この場合、サーバ群自動生成論理部２２３は、該当ＶＬＡＮ向けＤＨＣＰサーバ機能を自動生成する（図６ステップＳ２１１）。
【００５２】
上記の説明では、簡易なネットワーク構成例を示したが、例示した機能と同様の考え方（ネットワーク技術に詳しくない担当者でも直感的にわかりやすい機能指定のインタフェース準備及びスイッチ間協調での各種機能分担と自動設定）で、ＱｏＳ設定や認証環境設定、外部ネットワークへの接続、ＬＡＮ間接続、ＲＡＤＩＵＳサーバ自動構築等の機能を拡張することができる。
【００５３】
図７（ａ），（ｂ）は本発明の実施の形態における入力データ及び生成データを示す図である。図７（ａ），（ｂ）においては、マンマシンインタフェースを利用して入力する入力情報例と、入力された入力情報からネットワーク構成情報（コンフィグ情報）として生成される生成情報例及び生成機能例とを示している。
【００５４】
図７（ａ）［基本機能］の場合は、入力情報が「ポート番号：ＶＬＡＮ  ＩＤ」であれば、生成情報として「該当機器の機能が［Ｌ３］／［Ｌ３＋Ｌ２］／［Ｌ２］のいずれであるか」、「該当機器の機能がＬ３の時のルーチングテーブル」、「端末収容ポート毎の所属ＶＬＡＮ  ＩＤ」、「中継ポート毎の中継すべきＶＬＡＮと各ＶＬＡＮ対応ＴＡＧＩＤ、対向スイッチとの回線が複数時のリンクアグリゲーション」が設定される。
【００５５】
図７（ｂ）［高度利用］の場合は、追加入力情報が「ポート番号：端末種別（データ／音声等）」であれば、追加生成情報として「ＶＬＡＮ毎ＱｏＳ：（音声用ＶＬＡＮが高優先）」が生成され、追加機能として「コアスイッチに位置付けられた機器において、ＶＬＡＮ単位ＩＰアドレス帯域自動配布とＤＨＣＰサーバ機能生成」が行われる。
【００５６】
このように、本実施の形態では、ユーザが、構成スイッチ間の結線と、各スイッチに収容される端末やサーバの所属ＶＬＡＮをスイッチ２の前面パネル２１からのわかりやすい条件設定等、簡易な条件設定機能を用いることで、特にネットワーク技術に詳しくなくても、短時間でのＬＡＮ構築が可能となる。
【００５７】
また、本実施の形態では、スイッチ構成や中継回線等が変化しても、最適なネットワークを自動構成することができる。
【００５８】
さらに、本実施の形態では、各スイッチ（＃１〜＃３）２−１〜２−３が、ネットワーク構成スイッチ群全体の構成と自スイッチ相対位置とを認識することで、最適なネットワークを自動構築することができるため、重大な回線障害等でネットワークが分断された場合でも、自律的にネットワークを再構成することで、分断されて閉じたネットワーク内での通信を自動的に確保することができる。
【００５９】
本発明は、上記の機能を、上述した実施の形態のように、スイッチ内部に実装する方法のほか、専用装置としてスイッチに外付けする方法によっても実現することもできる。
【００６０】
また、本発明は、ネットワークを構成する各スイッチが本発明の機能を実装する方法と、ネットワークの中心的な位置にある機器が本発明の機能を実装し、他の機器から情報を収集する方法とによっても実現することもできる。
【００６１】
さらに、本発明は、ネットワークの構成変更を安定して実施するため、ネットワーク構成変更実施時に、ネットワークとして通信機能を提供している状態での実行のほかに、ネットワークとして通信機能を提供しない状態に移行して実行することもできる。
【００６２】
さらにまた、本発明は、端末やサーバとの情報自動交換、ＷＡＮ接続ルータとの情報自動交換等、機能拡張していくことで、ＱｏＳ自動設定や認証環境設定、外部ネットワークへの接続、ＬＡＮ間接続、ＲＡＤＩＵＳサーバ自動構築等の機能も拡張実装することができる。
【符号の説明】
【００６３】
１  ネットワーク構成機器
２，２−１〜２−３  スイッチ
３−１，３−２  サーバ
４−１〜４−４  端末
１１  ネットワーク構成要件取得部
１２  ネットワーク構成条件取得部
１３  ネットワーク自動構成部
２１  前面パネル
２２  内部論理
２１１  ポート＃１収容端末所属ＶＬＡＮ指定機能
２１２  ポート＃２収容端末所属ＶＬＡＮ指定機能
２２１  収容端末属性自動決定論理部
２２２  ネットワーク自動構成論理部
２２３  サーバ群自動生成論理部
【図１】
2010263261.tif 000003
【図２】
2010263261.tif 000004
【図３】
2010263261.tif 000005
【図４】
2010263261.tif 000006
【図５】
2010263261.tif 000007
【図６】
2010263261.tif 000008
【図７】
2010263261.tif 000009